(57)【要約】【課題】  外箱より洗浄槽を引き出して食器類を収納し、洗浄する食器洗い機において、洗浄槽の引き出しおよび収納動作時に洗浄槽の開口部が中蓋に設けたパッキングや中蓋自体に触れることなく、安定した引き出しおよび収納動作を可能にする。【解決手段】  上方に開口部を有し食器類２を収容する洗浄槽１５を筐体７内に前後方向へ収納自在とし、筐体７に上下方向に移動可能に保持された中蓋１７により洗浄槽１５の開口部を閉塞する。中蓋１７は、洗浄槽１５が筐体７内の所定の位置に収納される前の状態において、洗浄槽１５側に設けた第１の当接部１６と、中蓋１７側に設けた第２の当接部１８が当接し、洗浄槽１８の前方向または後方向の少なくとも一方の移動によって中蓋１７が上方へ付勢するよう構成する。【選択図】  図１ 
2005087271.tif 000002
【特許請求の範囲】
【請求項１】
上方に開口部を有し食器類を収容する洗浄槽と、この洗浄槽を前後方向へ収納自在とする筐体と、前記筐体に上下方向に移動可能に保持され前記洗浄槽の開口部を閉塞する中蓋とを備え、前記中蓋は、前記洗浄槽が筐体内の所定の位置に収納される前の状態において、洗浄槽側に設けた第１の当接部と、中蓋側に設けた第２の当接部が当接し、前記洗浄槽の前方向または後方向の少なくとも一方の移動によって中蓋が上方へ付勢されるよう構成した食器洗い機。
【請求項２】
洗浄槽側に設けた第１の当接部を、前記洗浄槽の前方または後方の少なくともいずれか一方に構成した請求項１記載の食器洗い機。
【請求項３】
中蓋側に設けた第２の当接部を、前記中蓋の前方または後方の少なくともいずれか一方に構成した請求項１または２記載の食器洗い機。
【請求項４】
中蓋側に設けた第２の当接部を、前記中蓋の前方から後方まで連続して構成した請求項１または２記載の食器洗い機。
【請求項５】
洗浄槽が所定の位置に収納されたとき、第１の当接部と第２の当接部の当接状態を解除するようにした請求項１〜４のいずれか１項に記載の食器洗い機。
【発明の詳細な説明】
【技術分野】
【０００１】
本発明は、筐体より洗浄槽を引き出して食器類を収容し、洗浄する食器洗い機に関するものである。
【背景技術】
【０００２】
従来、システムキッチンに組み込まれた状態で使用されるビルトイン型の食器洗い機は、前方に開閉可能な扉部を有する洗浄槽を筐体内に固定したものが主流であったが、近年、上方に開口部を有する洗浄槽を筐体より引き出して食器類を収容し、洗浄する食器洗い機が主流となっている（例えば、特許文献１参照）。
【０００３】
従来、この種の食器洗い機は図７に示すように構成していた。以下、その構成について説明する。
【０００４】
図７に示すように、洗浄槽１は、上方に開口部を設け、食器類２を収容する食器かご３を配置している。食器かご３の下方には洗浄ノズル４を回転自在に設けており、洗浄槽１内に溜めた洗浄水をポンプ５によって循環させ、洗浄ノズル４より噴射して食器類２を洗浄する。
【０００５】
洗浄槽１の下方には第１のレール６を固定しており、第１のレール６は筐体７に固定した第２のレール８に前後方向へ平行移動可能に支持されている。食器類２の出し入れを行う際には、図８に示すように、洗浄槽１を前方へ引き出し、上方の開口部より食器類２を収容する。
【０００６】
筺体７の上方には洗浄槽１上方の開口部を閉塞する中蓋９を設けており、中蓋９はリンク１０を介して筺体７に上下方向に移動可能に保持されている。また、中蓋９はばね１１によって筺体７と繋がれており、中蓋９はばね１１の張力で筺体７の上方へ持上がるよう構成している。
【０００７】
食器洗い機を運転する際には、洗浄槽１を筐体７内の所定の位置まで収納する。所定の位置に収納する際、洗浄槽１の前方に設けた凸部１２が中蓋９の前方端面に当接し、中蓋９はリンク１０を介して下方へ引き込まれ、中蓋９に設けたパッキング１３が洗浄槽１の開口部に接し洗浄槽１が閉塞される。この状態でハンドル１４をロックすることで、運転中の洗浄槽１の動きを保持する。
【特許文献１】特開２００２−０６５５５１号公報
【発明の開示】
【発明が解決しようとする課題】
【０００８】
しかしながら、このような従来の構成では、中蓋９およびリンク１０に設けたばね１１の伸びや洗浄槽１または中蓋９の変形などにより、中蓋９が十分に筺体７の上方に持ち上げられず、開口部が中蓋９に設けたパッキング１３や中蓋９自体に触れ、操作感の悪化や引っ掛かりによる収納不良が起こる恐れがあった。また、操作感の悪化や引っ掛かりによる収納不良がないよう、引き出しや収納動作中に中蓋９と洗浄槽１の間に十分な隙間が必要となるため、洗浄槽１の収納スペースが狭くなり、背が高い食器類２の収容が困難になる問題があった。
【０００９】
本発明は上記従来の課題を解決するもので、洗浄槽の前方向および後方向の少なくとも一方の移動によって中蓋が上方へ付勢するよう構成することで、洗浄槽のスペースを確保しつつ、より安定した引き出しおよび収納動作を可能にすることを目的としている。
【課題を解決するための手段】
【００１０】
本発明は上記目的を達成するために、上方に開口部を有し食器類を収容する洗浄槽を筐体内に前後方向へ収納自在とし、筐体に上下方向に移動可能に保持された中蓋により洗浄槽の開口部を閉塞するよう構成し、中蓋は、洗浄槽が筐体内の所定の位置に収納される前の状態において、洗浄槽側に設けた第１の当接部と、中蓋側に設けた第２の当接部が当接し、洗浄槽の前方向または後方向の少なくとも一方の移動によって中蓋が上方へ付勢されるよう構成したものである。
【００１１】
これにより、筐体より洗浄槽を引き出したときや収納するとき、中蓋が十分に筺体の上方に持ち上がっていない状態でも、開口部が中蓋に設けたパッキングや中蓋自体に触れることなく、操作感や引っ掛かりによる収納不良を防止することができるため、洗浄槽のスペースを確保しつつ、より安定した引き出しおよび収納動作を可能にすることができる。
【発明の効果】
【００１２】
本発明の食器洗い機は、洗浄槽のスペースを確保しつつ、より安定した引き出しおよび収納動作を可能にすることができる。
【発明を実施するための最良の形態】
【００１３】
第１の発明は、上方に開口部を有し食器類を収容する洗浄槽と、この洗浄槽を前後方向へ収納自在とする筐体と、前記筐体に上下方向に移動可能に保持され前記洗浄槽の開口部を閉塞する中蓋とを備え、前記中蓋は、前記洗浄槽が筐体内の所定の位置に収納される前の状態において、洗浄槽側に設けた第１の当接部と、中蓋側に設けた第２の当接部が当接し、前記洗浄槽の前方向または後方向の少なくとも一方の移動によって中蓋が上方へ付勢されるよう構成したものであり、筐体より洗浄槽を引き出したときや収納するとき、中蓋が十分に筺体の上方に持ち上がっていない状態でも、洗浄槽側に設けた第１の当接部と中蓋側に設けた第２の当接部が当接して、洗浄槽の前方向または後方向の少なくとも一方の移動によって中蓋が上方へ付勢され、持ち上げられることにより、開口部が中蓋に設けたパッキングや中蓋自体に触れることなく洗浄槽の引き出しまたは収納動作を行うことができ、操作感の悪化や引っ掛かりによる収納不良を防止することができるため、洗浄槽のスペースを確保しつつ、より安定した引き出しまたは収納動作をすることができる。
【００１４】
第２の発明は、上記第１の発明において、洗浄槽側に設けた第１の当接部を、前記洗浄槽の前方または後方の少なくともいずれか一方に構成したものであり、筐体より洗浄槽を引き出したときや収納するとき、中蓋が十分に筺体の上方に持ち上がっていない状態でも、洗浄槽側に設けた第１の当接部と中蓋側に設けた第２の当接部が当接して、洗浄槽の前方向または後方向の少なくとも一方の移動によって中蓋が上方へ付勢され、持ち上げられることにより、開口部が中蓋に設けたパッキングや中蓋自体に触れることなく、操作感の悪化や引っ掛かりによる収納不良を防止することができる。
【００１５】
第３の発明は、第１または第２の発明において、中蓋側に設けた第２の当接部を、前記中蓋の前方または後方の少なくともいずれか一方に構成したものであり、筐体より洗浄槽を引き出したときや収納するとき、中蓋が十分に筺体の上方に持ち上がっていない状態でも、洗浄槽側に設けた第１の当接部と中蓋側に設けた第２の当接部が当接して、洗浄槽の前方向または後方向の少なくとも一方の移動によって中蓋が上方へ付勢され、持ち上げられることにより、開口部が中蓋に設けたパッキングや中蓋自体に触れることなく、操作感の悪化や引っ掛かりによる収納不良を防止することができる。
【００１６】
第４の発明は、第１または第２の発明において、中蓋側に設けた第２の当接部を、前記中蓋の前方から後方まで連続して構成したものであり、筐体より洗浄槽を引き出したときや収納するとき、中蓋が十分に筺体の上方に持ち上がっていない状態でも、洗浄槽側に設けた第１の当接部と中蓋側に設けた第２の当接部が当接して、洗浄槽の前方向または後方向の少なくとも一方の移動によって中蓋が上方へ付勢され、持ち上げられることにより、開口部が中蓋に設けたパッキングや中蓋自体に触れることなく、操作感の悪化や引っ掛かりによる収納不良を防止することができる。
【００１７】
第５の発明は、第１〜４のいずれか１つの発明において、洗浄槽が所定の位置に収納されたとき、第１の当接部と第２の当接部の当接状態を解除するようにしたものであり、洗浄槽が所定の位置に収納されたときは第１の当接部と第２の当接部の当接状態を解除し、中蓋に設けたパッキングが洗浄槽の開口部を閉塞することができる。
【００１８】
以下、本発明の実施の形態について、図面を参照しながら説明する。なお、従来例と同じ構成のものは同一符号を付して説明を省略する。また、この実施の形態によって本発明が限定されるものではない。
【００１９】
（実施の形態１）
図１は本発明の実施の形態１における食器洗い機の縦断面図、図２は第１の当接部と第２の当接部が当接した状態の縦断面図である。
【００２０】
図１に示すように、洗浄槽１５は、上方に開口部を設け、食器類２を収容する食器かご３を配置している。この洗浄槽１５の開口部の後方端面に第１の当接部１６を設けている。中蓋１７は、筺体７の上方に設け、洗浄槽１５の上方の開口部を閉塞するもので、この中蓋１７の後方に傾斜面を有する当接部１８を設けている。
【００２１】
中蓋１７の後方に設けた第２の当接部１８は、図２に示すように、洗浄槽１５が筺体７内の所定の位置に収納される前に洗浄槽１５に設けた第１の当接部１６に当接するように位置しており、洗浄槽１５が筺体７内の所定の位置に収納された位置では、第２の当接部１８は洗浄槽１５内に収容されるよう構成している。このため、中蓋１７が洗浄槽１５の開口部を閉塞するために下方に移動しても、中蓋１７に設けた第２の当接部１８は洗浄槽１５に当接しない。他の構成は従来例と同じである。
【００２２】
上記構成において動作、作用を説明する。筐体７内に洗浄槽１５を収納するとき、洗浄槽１５または中蓋１７の変形などにより中蓋１７が十分に筺体７の上方に持ち上がっていない状態でも、洗浄槽１５側に設けた第１の当接部１６と、中蓋側１７に設けた第２の当接部１８が先に当接し、洗浄槽１５を収納する力によって中蓋１７が上方へ付勢され、持ち上げられることにより、開口部が中蓋１７に設けたパッキング１３や中蓋１７自体に触れることなく、洗浄槽１５を筐体７の所定の位置まで収納することができる。
【００２３】
以上のように、本実施の形態においては、中蓋１７は、洗浄槽１５が筐体７内の所定の位置に収納される前の状態において、洗浄槽１５側に設けた第１の当接部１６と、中蓋１７側に設けた第２の当接部１８が当接し、洗浄槽１５の後方向の移動によって中蓋１７が上方へ付勢するよう構成したので、筐体７に洗浄槽１５を収納するとき、中蓋１７が十分に筺体７の上方に持ち上がっていない状態でも、洗浄槽１５の開口部が中蓋１７に設けたパッキング１３や中蓋１７自体に触れることなく洗浄槽１５の収納動作を行うことができ、操作感の悪化や引っ掛かりによる収納不良を防止することができるため、洗浄槽１５のスペースを確保しつつ、より安定した収納動作をすることができる。
【００２４】
また、洗浄槽１５が所定の位置に収納されたとき、第１の当接部１６と第２の当接部１８の当接状態を解除するようにしたので、洗浄槽１５が所定の位置に収納されたときは、中蓋１７に設けたパッキング１３が洗浄槽１５の開口部を閉塞することができる。
【００２５】
なお、本実施の形態では、洗浄槽１５の収納時、洗浄槽１５側に設けた第１の当接部１６と、中蓋側１７に設けた第２の当接部１８が常に当接するよう構成しているが、第１の当接部１６と第２の当接部１８に一定の隙間を設け、中蓋１７が十分に筺体７の上方に持ち上がっていない場合のみ第１の当接部１６と第２の当接部１８が当接するよう構成しても同様の効果が得られる。
【００２６】
（実施の形態２）
図３は本発明の実施の形態２における食器洗い機の縦断面図、図４は第１の当接部と第２の当接部が当接した状態の縦断面図である。
【００２７】
図３に示すように、洗浄槽１９は、上方に開口部を設け、食器類２を収容する食器かご３を配置している。この洗浄槽１９の開口部の前方端面に第１の当接部２０を設けている。中蓋２１は、筺体７の上方に設け、洗浄槽１９の上方の開口部を閉塞するもので、この中蓋２１の前方に傾斜面を有する当接部２２を設けている。
【００２８】
中蓋２１前方に設けた第２の当接部２２は、図４に示すように、洗浄槽１９が筺体７内の所定の位置から引き出される際に、洗浄槽１９に設けた第１の当接部２０に当接するように位置しており、洗浄槽１９が筺体７内の所定の位置に収納された位置では、第２の当接部２２は洗浄槽１９内に収容されるよう構成している。このため、中蓋２１が洗浄槽１９の開口部を閉塞するために下方に移動しても、中蓋２１に設けた第２の当接部２２は洗浄槽１９に当接しない。他の構成は従来例と同じである。
【００２９】
上記構成において動作、作用を説明する。筐体７内から洗浄槽１９を引き出すとき、洗浄槽１９または中蓋２１の変形などにより中蓋２１が十分に筺体７の上方に持ち上がっていない状態でも、洗浄槽１９側に設けた第１の当接部２０と、中蓋側２１に設けた第２の当接部２２が先に当接し、洗浄槽１９を引き出す力によって中蓋２１が上方へ付勢され、持ち上げられることにより、開口部が中蓋２１に設けたパッキング１３や中蓋２１自体に触れることなく、洗浄槽１９を筐体７から引き出すことができる。
【００３０】
以上のように、本実施の形態においては、中蓋２１は、洗浄槽１９が筐体７内の所定の位置から引き出される前の状態において、洗浄槽１９側に設けた第１の当接部２０と、中蓋２１側に設けた第２の当接部２２が当接し、洗浄槽１９の前方向の移動によって中蓋２１が上方へ付勢するよう構成したので、筐体７から洗浄槽１９を引き出すとき、中蓋２１が十分に筺体７の上方に持ち上がっていない状態でも、洗浄槽１９の開口部が中蓋２１に設けたパッキング１３や中蓋２１自体に触れることなく洗浄槽１９の引き出しを行うことができ、操作感の悪化や引っ掛かりによる収納不良を防止することができるため、洗浄槽１９のスペースを確保しつつ、より安定した収納動作をすることができる。
【００３１】
また、洗浄槽１９が所定の位置に収納されたとき、第１の当接部２０と第２の当接部２２の当接状態を解除するようにしたので、洗浄槽１９が所定の位置に収納されたときは、中蓋２１に設けたパッキング１３が洗浄槽１９の開口部を閉塞することができる。
【００３２】
なお、本実施の形態では、洗浄槽１９の引き出し時、洗浄槽１９側に設けた第１の当接部２０と中蓋側２１に設けた第２の当接部２２が常に当接するよう構成しているが、第１の当接部２０と第２の当接部２２に一定の隙間を設け、中蓋２１が十分に筺体７の上方に持ち上がっていない場合のみ第１の当接部２０と第２の当接部２２が当接するよう構成しても同様の効果が得られる。
【００３３】
（実施の形態３）
図５は本発明の実施の形態３における食器洗い機の縦断面図、図６は第１の当接部と第２の当接部が当接した状態の縦断面図である。
【００３４】
図５に示すように、洗浄槽２３は、上方に開口部を設け、食器類２を収容する食器かご３を配置している。この洗浄槽２３の開口部の後方端面に第１の当接部２４を設けている。中蓋２５は、筺体７の上方に設け、洗浄槽２３の上方の開口部を閉塞するもので、この中蓋２５の後方の端部に傾斜面を有する第２の当接部２６を前後方向に連続して設けている。
【００３５】
中蓋２５に設けた第２の当接部２６は、図５に示すように、洗浄槽２３が筺体７内の所定の位置に収納されている状態では洗浄槽２３内に収容されており、中蓋２５が洗浄槽２３の開口部を閉塞するために下方に移動しても、中蓋２５に設けた第２の当接部２６は洗浄槽２３に当接しないよう構成している。
【００３６】
つぎに、図６に示すように、洗浄槽２３が筐体７から引き出される際、中蓋２５に設けた第２の当接部２６の端部に設けた傾斜面と洗浄槽２３に設けた第１の当接部２４が当接し、洗浄槽２３を引き出す力によって中蓋２５が上方に付勢される。引き出し動作中は引き出し位置に関わらず第１の当接部２４と第２の当接部２６が当接するよう構成しており、引き出し動作中の中蓋２５は常に上方へ付勢されている。他の構成は従来例と同じである。
【００３７】
上記構成において動作、作用を説明する。筐体７内にから洗浄槽２３を出し入れするとき、中蓋２５が十分に筺体７の上方に持ち上がっていない状態でも、洗浄槽２３側に設けた第１の当接部２４と、中蓋側２５に設けた第２の当接部２６が先に当接し、洗浄槽２３を出し入れする力によって中蓋２５が常に上方へ付勢され、持ち上げられることにより、開口部が中蓋２５に設けたパッキング１３や中蓋２５自体に触れることなく洗浄槽２３を筐体７から引き出すことができる。
【００３８】
以上のように、本実施の形態においては、中蓋２５側に設けた第２の当接部２６を中蓋２５の前方から後方まで連続して構成したので、筐体７より洗浄槽２３を引き出したときや収納するとき、中蓋２５が十分に筺体７の上方に持ち上がっていない状態でも、洗浄槽２５側に設けた第１の当接部２４と中蓋２５側に設けた第２の当接部２６が当接して中蓋２５が上方へ付勢され、持ち上げられることにより、開口部が中蓋２５に設けたパッキング１３や中蓋２５自体に触れることなく、操作感の悪化や引っ掛かりによる収納不良を防止することができる。
【００３９】
なお、本実施の形態では、洗浄槽２３の出し入れ時、洗浄槽２３側に設けた第１の当接部２４と中蓋側２５に設けた第２の当接部２６が常に当接するよう構成されているが、第１の当接部２４と第２の当接部２６に一定の隙間を設け、中蓋２３が十分に筺体７の上方に持ち上がっていない場合のみ第１の当接部２４と第２の当接部２６が当接するよう構成しても同様の効果が得られる。
【産業上の利用可能性】
【００４０】
以上のように、本発明にかかる食器洗い機は、上方に開口部を有する洗浄槽を筐体より引き出す食器洗い機において、洗浄槽のスペースを確保しつつ、より安定した引き出しおよび収納動作を行うことが可能となるので、洗浄槽が可動する機構を有した食器洗い機等として有用である。
【図面の簡単な説明】
【００４１】
【図１】本発明の実施の形態１の食器洗い機の縦断面図
【図２】同洗濯機の第１の当接部と第２の当接部が当接した状態の縦断面図
【図３】本発明の実施の形態２の食器洗い機の縦断面図
【図４】同洗濯機の第１の当接部と第２の当接部が当接した状態の縦断面図
【図５】本発明の実施の形態３の食器洗い機の縦断面図
【図６】同洗濯機の第１の当接部と第２の当接部が当接した状態の縦断面図
【図７】従来の食器洗い機の縦断面図
【図８】同食器洗い機を引き出した状態の縦断面図
【符号の説明】
【００４２】
２  食器類
７  筐体
１５  洗浄槽
１６  第１の当接部
１７  中蓋
１８  第２の当接部
【図１】
2005087271.tif 000003
【図２】
2005087271.tif 000004
【図３】
2005087271.tif 000005
【図４】
2005087271.tif 000006
【図５】
2005087271.tif 000007
【図６】
2005087271.tif 000008
【図７】
2005087271.tif 000009
【図８】
2005087271.tif 000010